(57)【要約】　　　（修正有）【課題】連珠ネックレスの輪体の大きさを容易に変えられることが可能であり、両端に設けられた糸留め具の無骨な形状を解消し、そして、装着時に全体のフォルムが損なわれること無く美しい自然なラインを描く「優しい」・「自然」・「柔らかい」といったイメージの商品を提供する。【解決手段】連珠ネックレスの一端に接続した金具が、本体部１と、回動自在に取り付けた中子２と、前記本体部と中子の切欠部１０に配設したスプリング３とからなる金具を構成、糸留め具カバー３０を介して前記金具と糸留め具７を有する連珠ネックレスの一端を接続することで装着時に全体のフォルムが損なわれることなく輪体の大きさが変えられる。また、糸留め具カバーには丸玉等の中空体又は連珠ネックレスの素材と同じものを用いて覆ったことを特徴としている。【選択図】　　　　図１
0003098789.tif 000002
【実用新案登録請求の範囲】
【請求項１】
珠と珠の間に金具を嵌め込むことでネックレスの輪体の大きさを変えられる連珠ネックレスであって、連珠ネックレス５０の一端に接続した金具２０が、本体部１と、この本体に丸棒１２を介して回動自在に取り付けた中子２と、前記本体部１と中子２の間に配設したスプリング３とからなり、本体部１は上端側にフック部４と、下端側の立上に中子２を組み入れるための切込溝５にて形成し、切込溝５の両側には中子２を回動自在に取り付ける孔６ａと、連珠ネックレス５０の一端に接続してある接続板３３と連結する孔６ｂを設けた。中子２は上端側に閉塞部８と、下端側に押圧部９を板状で形成し、押圧部９の立上にスプリング３を配設する切欠部１０と、押圧部９の面に垂直に回動自在の動きを得る孔６ｃを設けた。そして、中子２の押圧部９の切欠部１０にスプリング３を嵌め込み、前記中子２を本体部１の切込溝５に嵌め込み、切込溝５に設けた孔６ａより丸棒１２を挿入して金具２０を構成し、前記金具の押圧部９を指で押すことでスプリング３の弾性により閉塞部８が外開きに大きく（珠の径が１０ｍｍ以上の連珠ネックレスにも十分に嵌め込みが可能）開口し、押圧部９を離すことで閉口、前記金具２０の開閉により、任意の場所に金具２０を挟み込み輪体の大きさを変えられることを特徴とした連珠ネックレス。
【請求項２】
連珠ネックレスの珠４０が糸又はワイヤー３２より抜け出ないようにするための糸留め具７に丸玉等の中空体又は連珠ネックレスの素材と同じものを用いて糸留め具７を覆ったことを特徴とする糸留め具カバー。
【請求項３】
請求項２記載の糸留め具カバーを介して、金具２０と連珠ネックレス５０の一端を接続した請求項１記載の連珠ネックレス。
【考案の詳細な説明】
【０００１】
【考案の属する技術分野】
本考案は、宝飾品である連珠装身具に関するものである。
【０００２】
【従来の技術】
連珠ネックレスの両端を糸留め具で固定し、差し込み金具等に接続して単一の輪体径を形成させる方法が一般的であり、輪体の大きさを変えられる連珠ネックレスに於いては、金具２１と糸留め具７を接続した部分が折れ曲がる（図７）問題が有った。
【０００３】また、珠４０のつなぎ方法として、珠４０に糸又はワイヤー３２を通し、両端を糸留め具７のネジ３１で締め付けて珠４０が糸又はワイヤー３２より抜け出ないようにし連珠し、糸留め具を介して金具を接続して連珠ネックレスを製作しているが、糸留め具７その物が無骨であった。
【０００４】
【考案が解決しようとする課題】
前記の連珠ネックレスの長さ調整を必要とする場合は珠数の増加又は少なくするかの方法で行う必要が有り、日数及び、コストがかかり、本考案はそれらを無くする目的として、金具の脱着自在にて連珠ネックレスの任意の場所に挟み込むことで輪体の大きさを変えられ、且つ、糸留め具の無骨さを解消し、装着時に全体のフォルムが損なわれること無く美しい自然なラインを描く商品を提供することにある。
【０００５】
【課題を解決するための手段】
本考案は前記目的を達成するため、連珠ネックレス５０の一端に接続した金具２０が、本体部１と、回動自在に取り付けた中子２と、前記本体部１と中子２の間に配設したスプリング３とからなり、本体部１は上端側にフック部４と、下端側に中子２を組み入れるための切込溝５で形成し、中子２は上端側に閉塞部８と、下端側に押圧部９を板状で形成し、そして、中子２の押圧部９の切欠部１０にスプリング３を嵌め込み、前記中子２を本体部１の切込溝５に嵌め込み、切込溝５に設けた孔６ａより丸棒１２を挿入し輪体の大きさを自由に変えられる金具２０とした。
【０００６】また、糸留め具を丸玉等の中空体又は連珠ネックレスの素材と同じものを用いて覆ったことを特徴としている。
【０００７】
【考案の実施の形態】
以下、図面について本考案の実地形態を詳細に説明する。
【０００８】
【実施例】
図１は本考案の連珠ネックレスに用いた一実施形態を示す部品の正面図であり、（Ａ）は金具２０の本体部１を示し、上端側にフック部４と、下端側の立上に中子２を組み入れる切込溝５にて形成し、切込溝５の両側には中子を回動自在に取り付ける孔６ａと、連珠ネックレス５０一端に接続してある接続板３３と金具２０を連結する孔６ｂを設けた。
【０００９】（Ｂ）は回動自在の中子２を示し、上端側に閉塞部８と、下端側に押圧部９を板状で形成し、押圧部９の立上にスプリング３を配設する切欠部１０と、押圧部９の面に垂直に街道自在の動きを得る為の孔６ｃを設けた。
【００１０】（Ｃ）は中子２に配設して中子２を回動自在にさせるスプリング３と、本体部１の切込溝５の両側に設けた孔６ａより挿入し中子２を回動自在に取り付る丸棒１２を示し、（Ｄ）は請求項２で記述した糸留め具カバーに丸玉の中空体を用いた実施例を示し、（Ｅ）は連珠ネックレスの一端に糸留め具７を配し、金具２０と接続するための接続板３３の孔４３ｂに糸又はワイヤー３２を通して折り返して糸留め具７に再度通し、糸留め具７に設けたネジ３１で糸又はワイヤー３２を挟み固定した連珠ネックレスの一端を切欠いた状態を示す。
【００１１】図２は、図１（Ｅ）の糸留め具７に中空体の丸玉を糸留め具カバー３０として用いた状態を示す。
【００１２】図３は、真珠の連珠ネックレス５０に糸留め具カバー３０として同じ素材の真珠を用いた状態を示す。
【００１３】図４（Ａ）は、連珠ネックレス５０の一端と金具２０を糸留めカバー３０を介して接続した状態を示し、図４（Ｂ）は金具２０の中子２が開口した状態を示す。
【００１４】図５は、本考案の連珠ネックレス５０の一実施例を示す要部の一部正面図であり、糸留め具カバー３０を用いたことにより、無骨な糸留め具７を隠すと共に、金具２０を任意の場所に嵌め込み輪体の大きさを変えても糸留め具カバー３０を基として折れ曲がること無く連珠ネックレス５０に自然なラインでジョイントできる。
【００１５】図６は、従来の連珠ネックレス要部の一部切欠いた平面図であり　糸留め具７が露出し、糸又はワイヤー３２と接続環３５が接続のみであるために、糸又はワイヤー３２を基点として金具２１が折れ曲がり易いことを示す。
【００１６】図７は、従来の連珠ネックレス要部を拡大した概念図で、糸又はワイヤー３２を基点として金具２０が折れ曲がり、自然なラインが損なわれることを示す。
【００１７】
【発明の効果】
以上説明したように本考案は、装着者の体型やその日の気分に合わせて輪体の大きさを容易に変えることが可能となり、また、糸留め具カバーにて装着時にネックレスのフォルムが損なわれること無く自然なラインを描き、連珠ネックレスの美しさを糸留め具カバーも含めて主張でき、使用性及び趣味性が従来の商品より格段と向上しての提供が可能となった。
【図面の簡単な説明】
【図１】本考案に使用の一実形態を示す部品の正面図である。
【図２】糸留め具カバーに一実施例として中空体の丸玉を使用した要部の一部切欠いた断面図である。
【図３】糸留め具カバー一実施例として真珠を用いた要部の一部切欠いた断面図である。
【図４】本考案の糸留め具カバーを使用した一実施例を示す糸留め具カバーと、金具要部の一部切欠いた平面図である。
【図５】本考案の連珠ネックレスの一実施例を示す要部の一部正面図である。
【図６】従来の連珠ネックレス要部の一部切欠いた平面図である。
【図７】従来の連珠ネックレス要部を拡大した概念図である。
【符号の説明】
１　　　本体部
２　　　中子
３　　　スプリング面
４　　　フック部
５　　　切込溝
６ａ　　孔
６ｂ　　孔
６ｃ　　孔
７　　　糸留め具
８　　　閉塞部
９　　　押圧部
１０　　切欠部
１２　　丸棒
２０　　金具
２１　　金具
２５　　糸留め具カバー（真珠）
３０　　糸留め具カバー（中空体の丸玉）
３１　　ネジ
３２　　糸又はワイヤー
３３　　接続板
３４ａ　孔（接続板）
３４ｂ　孔（接続板
３５　　接続環
４０　　珠
５０　　連珠ネックレス
【図１】
0003098789.tif 000003
【図２】
0003098789.tif 000004
【図３】
0003098789.tif 000005
【図４】
0003098789.tif 000006
【図５】
0003098789.tif 000007
【図６】
0003098789.tif 000008
【図７】
0003098789.tif 000009
【手続補正書】
【提出日】平成15年7月18日(2003.7.18)
【手続補正１】
【補正対象書類名】明細書
【補正対象項目名】請求項１
【補正方法】変更
【補正の内容】
【請求項１】
珠と珠の間に金具を嵌め込むことでネックレスの輪体の大きさを変えられる連珠ネックレスにおいて、
（１）連珠ネックレス５０の一端に接続した金具２０が、本体部１と、この本体に丸棒１２を介して回動自在に取り付けた中子２と、前記本体部１と中子２の間に配設したスプリング３で構成。
（２）本体部１は上端側にフック部４と、下端側の立上に中子２を組み入れるための切込溝５にて形成し、切込溝５の両側には中子２を回動自在に取り付ける孔６ａと、連珠ネックレス５０の一端に接続してある接続板３３と連結する孔６ｂを設けた。
（３）中子２は上端側に閉塞部８と、下端側に押圧部９を板状で形成し、押圧部９の立上にスプリング３を配設する切欠部１０と、押圧部９の面に垂直に回動自在の動きを得る孔６ｃを設けた。
（４）そして、中子２の押圧部９の切欠部１０にスプリング３を嵌め込み、前記中子２を本体部１の切込溝５に嵌め込み、切込溝５に設けた孔６ａより丸棒１２を挿入し固定する。
以上の構成からなる金具２０に組み込んだ中子２の押圧部９を指で押すことでスプリング３の弾性により閉塞部８が外開きに開口し、押圧部９を離すことで閉塞、閉塞部８の開閉により、任意の場所に金具２０を挟み込み輪体の大きさを変えられることを特徴とした連珠ネックレス。
【手続補正２】
【補正対象書類名】明細書
【補正対象項目名】請求項２
【補正方法】変更
【補正の内容】
【請求項２】
請求項１記載の連珠ネックレスの珠４０が糸又はワイヤー３２より抜け出ないようにするための糸留め具７に丸玉等の中空体又は連珠ネックレスの素材と同じものを用いて糸留め具７を覆ったことを特徴とする糸留め具カバー。